(57)【要約】  本発明は、直接または間接オルロフ（Orlov)印刷を実行する方法に関する。本発明は、版胴上に多色インキストリップの領域を形成できるように装備された塗布ローラを含み、塗布ローラが版胴に対して自由に取り付けられ、それを使用して版胴の組立てられた印刷版の領域にインキを着けることを特徴とする。【特許請求の範囲】
【請求項１】
多色インキにより版胴の組立てられた印刷版の複数領域にインキを付与して初期インキ領域間に色彩介在ゾーンを形成し、テンプレートローラまたはインキ補給群の中間ローラを版胴と共働して使用し、かつその後に版胴の印刷版から得られたインキ像を紙または中間ブラケットシリンダへ転写する、各工程を含む直接的または間接的オルロフ（Orlov)印刷を実行する方法において、
版胴の組立てられた印刷版の領域にインキを着け、
版胴に対して自由に取り付けられた塗布ローラを使用して版胴上に多色インキストリップの領域を形成し、
前記ストリップを版胴の回転方向へ配向して、シャープな転移および／またはスムースなアイリス（iris)転移および／またはスペースゾーンによってストリップ間に境界を形成し、かつ
次に版胴上の二つまたはそれ以上のストリップの領域からインキ層をテンプレートローラまたはインキ補給群内に含まれる中間ローラへ、軸往復運動可能なドラムローラにより転写して、テンプレートローラ上に設けられた印刷部材内の初期インキを混合する、各工程を含み、
色彩付与ゾーンの形成が、組立てられた印刷版領域へのインキの戻しと同時にインキの転換を含み、その形態がテンプレートローラの印刷部材によって決定され、インキストリップの完全または部分的オーバーラップ、および混合ゾーンによる境界領域を伴う、ことを特徴とする方法。
【請求項２】
初期インキの混合物を組立てられた印刷版の同様領域上へ付与するために取り付けられた二つのテンプレートローラを使用することを特徴とする、請求項１の方法。
【請求項３】
軸方向にインキの色彩を分割するときに色彩付与ゾーン内でスムース転移を創出するために、一つもしくはそれ以上のテンプレートローラ、またはドラムローラが往復運動をするために含まれることを特徴とする、請求項１または２の方法。
【請求項４】
版胴の回転方向にインキの色彩を分割するときに色彩付与ゾーン内でスムースな転移を創出するために、一つもしくはそれ以上のテンプレートローラ、またはドラムローラが版胴の回転方向において脈動するために含まれることを特徴とする、請求項１または２の方法。
【請求項５】
請求項１から４のいずれか１の方法により形成された印刷像。
【発明の詳細な説明】
【技術分野】
【０００１】
本発明は、印刷技術、正確には、『オルロフ（Orlov)印刷』として知られ、かつ有価証券を印刷しかつ保護を必要とする他の多色印刷生産物を印刷するために使用される印刷方法に関する。
【背景技術】
【０００２】
直接的または間接的オルロフ印刷を実施する方法および印刷された像は既知であり、この方法は、多色インキにより版胴の組立てられた印刷版の複数領域にインキを着けて初期インキ領域間に色彩介在領域を形成し、版胴と共働するテンプレートローラまたはインキ補給群の中間（介在）ローラを使用し、かつその後に版胴の印刷版から得られたインキ像を紙または中間ブラケットシリンダへ転写する各工程を含む（１９９９年１２月２７日ＲＦ特許２１４３３４４、ＩＰＣ  Ｂ４１Ｍ３／１４−同様技術および最も類似の技術（原型）参照）。
【０００３】
従来技術方法の欠点は、スムースなインキ転移ゾーン内で製造される色彩範囲の変形形態数が十分でなく、結果として有価証券生産品の質の低下に繋がる。
【０００４】
【特許文献１】ＲＦ特許２１４３３４４
【発明の開示】
【発明が解決しようとする課題】
【０００５】
従って、本発明の課題は、有価証券の生産品質を改良することにある。
【課題を解決するための手段】
【０００６】
上記課題は、版胴の組立てられた印刷版の複数領域にインキを付与する次の工程により達成される。即ち、版胴に対して自由に取り付けられた塗布ローラを使用して版胴上に多色インキストリップの領域を形成し、前記ストリップを版胴の回転方向へ配向して、シャープな転移および／またはスムースなアイリス（iris−虹様)転移および／またはスペースゾーンによってストリップ間に境界を形成し、かつ次に版胴上の二つまたはそれ以上のストリップの領域からインキ層をテンプレートローラまたはインキ補給群内に含まれる中間ローラへ、軸往復運動可能なドラムローラにより転写して、テンプレートローラ上に設けられた印刷部材内の初期インキを混合する、各工程を含み、色彩付与ゾーンの形成が組立てられた印刷版領域へのインキの戻しと同時にインキの転換を含み、その形態がテンプレートローラの印刷部材によって決定され、インキストリップの完全または部分的オーバーラップ、および混合ゾーンによる境界領域を伴うことを特徴とする。
【０００７】
初期インキの混合物を組立てられた印刷版の同様領域上へ付与するために、取り付けられた二つのテンプレートローラが使用される。
【０００８】
軸方向にインキの色彩を分割するときに色彩付与ゾーン内にスムース転移を創出するために、一つもしくはそれ以上のテンプレートローラ、またはドラムローラが往復運動をするために含まれる。
【０００９】
版胴の回転方向にインキの色彩を分割するときに色彩付与ゾーン内でスムースな転移を創出するために、一つもしくはそれ以上のテンプレートローラ、またはドラムローラが版胴の回転方向において脈動するために含まれる。
【００１０】
上記方法により印刷像が形成される。
【発明を実施するための最良の形態】
【００１１】
直接的または間接的オルロフ（Orlov)印刷法の特徴を添付図面を参照して次に説明する。
【００１２】
直接的または間接的オルロフ（Orlov)印刷法は、多色インキにより版胴１の組立てた印刷版の複数領域にインキを着けて初期インキ領域間に色彩介在ゾーンを形成し、テンプレートローラ２またはインキ補給群に含まれる中間ローラを版胴１と共働して使用し、かつその後に版胴１の印刷版から得られたインキ像を紙または中間ブラケットシリンダ（図示せず）へ直接転写する、各工程を含む。
【００１３】
版胴１の印刷版の領域にインキを着けるために、版胴に対して自由に取り付けられる塗布ローラ３を使用して版胴１上に多色インキストリップ４，５，１４の複数領域を形成する。前記ストリップを版胴の回転方向へ配向して、シャープ転移および／またはスムースなアイリス（iris)転移７および／またはスペースゾーン８と共に、ストリップ４，５間に境界６を形成する。
【００１４】
次に版胴１上の二つまたはそれ以上のストリップ４，５の領域からインキ層をテンプレートローラ２または中間ローラへ、軸往復運動可能なドラムローラ９により転送して、テンプレートローラ２上に装備された印刷部材１０内で初期インキを混合する。
【００１５】
色彩付与ゾーン１１の形成は印刷版１の領域へのインキの戻しと同時にインキの転送（転写）を含み、その形状はテンプレートローラ２の印刷部材１０によって決定され、インキストリップの完全または部分的オーバーラップ、および混合ゾーンによる境界領域を伴う。
【００１６】
二つのテンプレートローラ２が使用され相互に対して共働する。
【００１７】
軸方向にインキの色彩を分割するときに色彩付与ゾーン１１内でスムース転移を可能にするために、一つもしくはそれ以上のテンプレートローラ２、またはドラムローラ９が、テンプレートローラ２、またはドラムローラ９の往復運動を可能にするために含まれる。
【００１８】
版胴１の回転方向にインキの色彩を分割するときに色彩付与ゾーン内でスムース転移１３を可能にするために、一つもしくはそれ以上のテンプレートローラ２、またはドラムローラ９が、組立てられた印刷版を有する版胴１の回転方向においてテンプレートローラ２またはドラムローラ９を脈動させるために含まれる。
【００１９】
前記特徴を有するいずれか１の方法により印刷像が形成される。
【００２０】
前記方法は次のように実施される。
版胴１の組立てられた印刷版を、配向したインキストリップ４，５を有する塗布ローラ３を使用して二つまたはそれ以上の異なる色彩のインキによって必要場所へインキを塗布し、かつそのインキストリップ間の境界はシャープ転移６および／またはスムースアイリス転移７および／またはスペースゾーン８により具体化される。境界領域の像のタイプの組合せ、および像の順番の変更は異なってよく、かつこれは偽造に対する防護を改良する。
【００２１】
第一インキ補給群に連結されていない分離インキ補給群は、組立てられた版胴１から二つまたはそれ以上の初期インキを除去するテンプレートローラ２を含む。中間ローラを介してインキを除去でき、かつその後にインキをテンプレートローラへ転送できる。第一テンプレートローラに順応して第二テンプレートローラ２を設置可能であり、それにより初期インキのより一層安定した混合を可能にする。二つまたはそれ以上の初期インキの混合物は、テンプレートローラ２の印刷部材１０上方のドラムローラ９の軸方向の往復運動により初期インキから製造され、この混合物は初期インキから異なる色彩になる。同時に、初期インキの混合物は、必要な場所で版胴１の組立てられた印刷版へ戻される。その形態はテンプレートローラ２上の印刷部材１０により決定され、かつ種々の幾何学図、パターン等の形態で具体化され、テンプレートローラ２と版胴１の相互に一致する歯の係合により達成される。このようして形成される連続的着色線の形態の多色像（図２から９）は組立てられた印刷版から紙へ直接転写され（直接的オルロフ印刷）またはブランケットシリンダの樹脂ウエブ上へ転写される（間接的オルロフ印刷）。
【００２２】
一つまたはそれ以上のテンプレートローラ２または分離インキ補給群のシリンダ９が軸往復運動へ駆動される場合に、多色パターンを創出する連続的着色線は版胴１の発生線の方向においてインキ付与ゾーン内にスムース転移１２を形成する。
【００２３】
テンプレートローラ２または分離インキ補給群のシリンダ９による版胴の回転方向への周期的脈動は、版胴１の回転方向において連続的に着色される線のためのインキ付与ゾーン内にスムース境界転移１３を可能にする。
【００２４】
テンプレートローラ２または分離インキ補給群のシリンダ９による周期的円周運動および軸運動は、同時または別々に行うことができ、異なるアイリス効果が混合インキ１１の重ね合わせにより生じる。
【００２５】
この複雑さが、得られる像の可変性を高め、保護印刷技術生産物の製造時の多色刷りの改良によりオルロフ印刷方法の保護効果を改善する。
【図面の簡単な説明】
【００２６】
【図１】印刷装置の一形態の略図を示す。
【図２】インキストリップの一タイプの境界領域を示す。
【図３】インキストリップの他のタイプの境界領域を示す。
【図４】インキストリップの他のタイプの境界領域を示す。
【図５】色彩付与ゾーン内に印刷された一タイプの像を示す。
【図６】色彩付与ゾーン内に印刷された他のタイプの像を示す。
【図７】色彩付与ゾーン内に印刷された他のタイプの像を示す。
【図８】色彩付与ゾーン内に印刷された他のタイプの像を示す。
【図９】三つの初期インキによる像を示す。
【図１】
2008503373.tif 000002
【図２】
2008503373.tif 000003
【図３】
2008503373.tif 000004
【図４】
2008503373.tif 000005
【図５】
2008503373.tif 000006
【図６】
2008503373.tif 000007
【図７】
2008503373.tif 000008
【図８】
2008503373.tif 000009
【図９】
2008503373.tif 000010
【国際調査報告】
2008503373.tif 000011
2008503373.tif 000012